(57)【要約】【課題】例えば生体試料等の試料を、簡便かつ正確に処理し得る処理具を提供すること。【解決手段】試料処理具（処理具）１は、先端部に液体を排出可能な排出口２２を備えるカラム本体（筒体）２と、カラム本体２内の排出口２２近傍に固定された第１のフィルタ５と、カラム本体２内の第１のフィルタ５より基端側に、カラム本体２の軸方向に移動可能に設けられ、第１のフィルタ５との間に形成される空間２０内に液体を保持し得る第２のフィルタ６と、空間２０内に収納された浮遊攪拌子（攪拌子）８と、第２のフィルタ６をカラム本体２の軸方向に移動操作する棒状の操作部材７と、排出口２２に着脱自在に装着され、前記排出口に装着した状態で前記排出口の先端開口を覆うとともに、空間２０内に収納された液体に空気（気体）を供給（注入）して、液体中に気泡を生じさせる機能を有するキャップ（気体注入手段）４とを有する。【選択図】図１
2005304479.tif 000002
【特許請求の範囲】
【請求項１】
先端部に液体を排出可能な排出口を備える筒体と、
該筒体内の前記排出口近傍に固定された第１のフィルタと、
前記筒体内の前記第１のフィルタより基端側に、前記筒体の軸方向に移動可能に設けられ、前記第１のフィルタとの間に形成される空間内に液体を保持し得る第２のフィルタと、
前記空間内に収納された攪拌子と、
前記第２のフィルタを前記筒体の軸方向に移動操作する操作部材と、
前記排出口に着脱自在に装着され、前記排出口に装着した状態で、その先端開口を覆うとともに、前記空間内に収納された液体に気体を注入する気体注入手段とを有することを特徴とする処理具。
【請求項２】
先端部に液体を排出可能な排出口を備える筒体と、
該筒体内の前記排出口近傍に固定された第１のフィルタと、
前記筒体内の前記第１のフィルタより基端側に、前記筒体の軸方向に移動可能に設けられ、前記第１のフィルタとの間に形成される空間内に液体を保持し得る第２のフィルタと、
前記第２のフィルタを前記筒体の軸方向に移動操作する操作部材と、
前記排出口に着脱自在に装着され、前記排出口に装着した状態で、その先端開口を覆うとともに、前記空間内に収納された液体に気体を注入する気体注入手段とを有することを特徴とする処理具。
【請求項３】
前記気体注入手段は、前記排出口に着脱自在に装着されるキャップで構成されている請求項１または２に記載の処理具。
【請求項４】
前記キャップは、その少なくとも一部に柔軟性を有する部位を有し、該部位を変形させることにより内部容積を減少させて、前記気体として内部の空気を前記排出口を介して前記空間内に送り出すよう構成されたものである請求項３に記載の処理具。
【請求項５】
複数の前記筒体が並べて連結された請求項１ないし４のいずれかに記載の処理具。
【請求項６】
前記空間内に試料を収納し、この状態で前記試料を処理液により処理するために用いられるものである請求項１ないし５のいずれかに記載の処理具。
【発明の詳細な説明】
【技術分野】
【０００１】
本発明は、処理具に関するものである。
【背景技術】
【０００２】
バイオ関連分野の発展とともに、試料中のウィルス・細胞・遺伝子・タンパク質・生化学物質等の生体物質を検出する方法が数多く開発されている。
【０００３】
例えば、遺伝子を検出する方法としては、ｉｎ  ｓｉｔｕハイブリダイゼーション法が知られている。
【０００４】
ｉｎ  ｓｉｔｕハイブリダイゼーション法とは、細胞の染色体ＤＮＡ（デオキシリボ核酸）や組織中のｍＲＮＡ（リボ核酸）等を標的として、ＲＮＡプローブやＤＮＡプローブとハイブリッド形成を行うことにより、特定遺伝子の染色体上での存在位置を検出したり、ｍＲＮＡの組織中での局在領域を検出する方法である。
【０００５】
ここで、ＲＮＡプローブ、ＤＮＡプローブとは、細胞の染色体ＤＮＡや組織中のｍＲＮＡ等の特定部位と特異的に結合する塩基配列であり、当該塩基配列の存在を検出するための放射性同位体や蛍光物質等の標識物が化学結合している。
【０００６】
このようなｉｎ  ｓｉｔｕハイブリダイゼーション法の具体的な操作は、例えば、生体試料の組織構造が操作中に崩れないように生体試料を固定する第１工程と、プローブが生体試料の核酸と反応し易くするために、当該生体試料の不要部位の除去や蛋白質分解酵素による部分分解処理を行う第２工程と、プローブを生体試料と反応させる第３工程と、過剰なプローブを洗浄して除去する第４工程と、生体試料の核酸とハイブリッドしたプローブ内標識物を検出するために、標識物と結合する酵素標識抗体等の試薬と反応させる第５工程と、過剰な抗体等を洗浄して除去する第６工程と、抗体を介して酵素と酵素基質とを反応させる第７工程と、過剰な酵素基質を洗浄して除去する第８工程と、酵素基質が酵素反応により発色した像を写真撮影等で記録する第９工程とにより行われる。
【０００７】
このうち第２工程〜第８工程は、生体試料を、試薬を含有する処理液（反応液や洗浄液）と接触させた後、これらの液を、次の工程で使用する処理液と置換するといった操作を繰り返すことにより行われる。
【０００８】
したがって、ｉｎ  ｓｉｔｕハイブリダイゼーション法を効率的に行うためには、これらの液の置換操作を多数の試料について一度に行えることが重要となる。
【０００９】
このように、多数の試料について、処理液の置換を一括して行える反応装置（処理装置）として、複数のカプセル容器内に生体試料と処理液とをそれぞれ収容し、処理液の交換を、処理液の機械的な吸引による除去と、新たな処理液の供給とにより行うようにしたものが提案されている。
【００１０】
しかし、この装置では、処理液の吸引操作等により、軟弱な生体試料を破損する場合があり、また装置自体も高価で汎用性に欠ける。
【００１１】
また、前述したようなｉｎ  ｓｉｔｕハイブリダイゼーション法を、簡易に行い得る反応容器（処理具）も提案されている（例えば、特許文献１参照）。
【００１２】
この反応容器９０１は、図１３に示すように、中空管９０２と、中空管９０２の内部に設けられた細孔板９０３と、中空管９０２内に挿入される中空管９０４と、中空管９０４の先端に設けられて細孔板９０５とで構成されている。
【００１３】
この反応容器９０１は、次のようにして使用される。まず、中空管９０２内に生体試料を含む液体（試料液）を収納し、中空管９０２内に中空管９０４を挿入する。これにより、生体試料を含む液体（試料液）が細孔板９０３と細孔板９０５とで画成される空間内に収納させる。
【００１４】
次に、この状態で、各種の処理液を細孔板９０５を介して順次、前記空間内に供給する。これにより、空間内の処理液が順次置換され、生体試料が各処理液により処理される。
【００１５】
しかしながら、反応容器９０１では、中空管９０２内に中空管９０４を挿入するため、これらの間には間隙が生じる。このような隙間には処理液が入り込み易く、間隙に処理液が入り込むと、この処理液が後に用いる処理液に混入し、正確な生体試料の処理に支障を来たすおそれがある。
【００１６】
また、ｉｎ  ｓｉｔｕハイブリダイゼーション法で用いる処理液は、一般に高価なものが多いため、処理液が無駄になることは極力回避したい。
【００１７】
【特許文献１】特開２００３−１６９６６２号公報
【発明の開示】
【発明が解決しようとする課題】
【００１８】
本発明の目的は、例えば生体試料等の試料を、簡便かつ正確に処理し得る処理具を提供することにある。
【課題を解決するための手段】
【００１９】
このような目的は、下記の（１）〜（３０）の本発明により達成させる。
（１）  先端部に液体を排出可能な排出口を備える筒体と、
該筒体内の前記排出口近傍に固定された第１のフィルタと、
前記筒体内の前記第１のフィルタより基端側に、前記筒体の軸方向に移動可能に設けられ、前記第１のフィルタとの間に形成される空間内に液体を保持し得る第２のフィルタと、
前記空間内に収納された攪拌子と、
前記第２のフィルタを前記筒体の軸方向に移動操作する操作部材と、
前記排出口に着脱自在に装着され、前記排出口に装着した状態で、その先端開口を覆うとともに、前記空間内に収納された液体に気体を注入する気体注入手段とを有することを特徴とする処理具。
【００２０】
（２）  前記攪拌子は、前記空間内に収納された液体を、前記第２のフィルタ近傍において攪拌するよう構成されている上記（１）に記載の処理具。
【００２１】
（３）  前記攪拌子は、前記空間内に収納された液体に浮遊するものである上記（１）または（２）に記載の処理具。
【００２２】
（４）  前記攪拌子の比重は、０．８５〜０．９９である上記（１）ないし（３）のいずれかに記載の処理具。
【００２３】
（５）  前記攪拌子は、粒状をなすものである上記（１）ないし（４）のいずれかに記載の処理具。
【００２４】
（６）  粒状の前記攪拌子は、その平均粒径が０．５〜５ｍｍである上記（１）ないし（５）のいずれかに記載の処理具。
【００２５】
（７）  前記攪拌子は、その少なくとも表面付近が、前記液体または前記液体に含まれる物質との反応性に乏しい材料で構成されている上記（１）ないし（６）のいずれかに記載の処理具。
【００２６】
（８）  前記攪拌子は、疎水性を有するものである上記（１）ないし（７）のいずれかに記載の処理具。
【００２７】
（９）  前記攪拌子は、中実体、中空体または多孔質体で構成されている上記（１）ないし（８）のいずれかに記載の処理具。
【００２８】
（１０）  先端部に液体を排出可能な排出口を備える筒体と、
該筒体内の前記排出口近傍に固定された第１のフィルタと、
前記筒体内の前記第１のフィルタより基端側に、前記筒体の軸方向に移動可能に設けられ、前記第１のフィルタとの間に形成される空間内に液体を保持し得る第２のフィルタと、
前記第２のフィルタを前記筒体の軸方向に移動操作する操作部材と、
前記排出口に着脱自在に装着され、前記排出口に装着した状態で、その先端開口を覆うとともに、前記空間内に収納された液体に気体を注入する気体注入手段とを有することを特徴とする処理具。
【００２９】
（１１）  前記気体注入手段は、前記排出口に着脱自在に装着されるキャップで構成されている上記（１）ないし（１０）のいずれかに記載の処理具。
【００３０】
（１２）  前記キャップは、その少なくとも一部に柔軟性を有する部位を有し、該部位を変形させることにより内部容積を減少させて、前記気体として内部の空気を前記排出口を介して前記空間内に送り出すよう構成されたものである上記（１１）に記載の処理具。
【００３１】
（１３）  前記キャップの内部容積は、前記筒体内の前記第１のフィルタより先端側の容積より小さい上記（１１）または（１２）に記載の処理具。
【００３２】
（１４）  前記第１のフィルタの基端面から前記筒体の基端までの長さは、５〜３０ｍｍである上記（１）ないし（１３）のいずれかに記載の処理具。
【００３３】
（１５）  前記第１のフィルタは、その厚さ方向に貫通する貫通細孔を複数有する細孔板で構成されている上記（１）ないし（１４）のいずれかに記載の処理具。
【００３４】
（１６）  前記第１のフィルタは、その少なくとも表面付近が、前記液体または前記液体に含まれる物質との反応性に乏しい材料で構成されている上記（１）ないし（１５）のいずれかに記載の処理具。
【００３５】
（１７）  前記第１のフィルタは、親水性を有するものである上記（１）ないし（１６）のいずれかに記載の処理具。
【００３６】
（１８）  前記第２のフィルタは、その厚さ方向に貫通する貫通細孔を複数有する細孔板で構成されている上記（１）ないし（１７）のいずれかに記載の処理具。
【００３７】
（１９）  前記第２のフィルタは、前記液体または前記液体に含まれる物質との反応性に乏しい材料で構成されている上記（１）ないし（１８）のいずれかに記載の処理具。
【００３８】
（２０）  前記第２のフィルタは、親水性を有するものである上記（１）ないし（１９）のいずれかに記載の処理具。
【００３９】
（２１）  前記操作部材は、棒状をなしている上記（１）ないし（２０）のいずれかに記載の処理具。
【００４０】
（２２）  前記操作部材は、前記筒体のほぼ中央に位置している上記（１）ないし（２１）のいずれかに記載の処理具。
【００４１】
（２３）  前記操作部材は、前記第２のフィルタの中央部に固定されている上記（１）ないし（２２）のいずれかに記載の処理具。
【００４２】
（２４）  前記筒体の基端部に着脱自在に装着される少なくとも１つの延長筒を有する上記（２１）ないし（２３）のいずれかに記載の処理具。
【００４３】
（２５）  前記延長筒は、前記筒体内へ液体を供給する際に、前記液体またはこれを供給する部材を前記筒体内に案内する機能を有する上記（２４）に記載の処理具。
【００４４】
（２６）  複数の前記延長筒を有し、前記延長筒を前記筒体に装着する際に、前記延長筒を適宜選択して使用することにより、前記処理具の全長を調整可能とした上記（２４）または（２５）に記載の処理具。
【００４５】
（２７）  複数の前記延長筒の中には、長さの異なるものが含まれる上記（２６）に記載の処理具。
【００４６】
（２８）  複数の前記延長筒が並べて連結された上記（２４）ないし（２７）のいずれかに記載の処理具。
【００４７】
（２９）  複数の前記筒体が並べて連結された上記（１）ないし（２８）のいずれかに記載の処理具。
【００４８】
（３０）  前記空間内に試料を収納し、この状態で前記試料を処理液により処理するために用いられるものである上記（１）ないし（２９）のいずれかに記載の処理具。
【発明の効果】
【００４９】
本発明によれば、気体注入手段を設けたことにより、第１のフィルタと第２のフィルタとで画成される空間内に収納された液体中に気体を供給（注入）して気泡を生じさせることができる。これにより、例えば、前記液体を攪拌子で攪拌する構成である場合には、攪拌子を円滑に移動させることができ、液体の攪拌をより確実に行うことができる。その結果、例えば生体試料等の試料を、簡便かつ正確に処理し得る。
【発明を実施するための最良の形態】
【００５０】
以下、本発明の処理具について、添付図面を参照しつつ詳細に説明する。
本発明の処理具は、種々の目的で使用することができるが、以下では、各種処理液を用いて試料を処理するのに用いられる試料処理具に適用した場合を代表に説明する。
【００５１】
図１は、本発明の処理具を試料処理具に適用した場合の実施形態を示す縦断面図である。なお、以下の説明では、図１中の上側を「基端」、下側を「先端」と言う。
【００５２】
図１に示す試料処理具１は、カラム本体２と、カラム本体２内に設けられた第１のフィルタ５および第２のフィルタ６と、いずれもカラム本体２に対して着脱自在に装着されるエクステンションカップ３およびキャップ４とを有している。
【００５３】
この試料処理具１は、カラム本体２内の第１のフィルタ５と第２のフィルタ６とで画成される空間２０内に試料を含む液体（試料液）を収納し、この状態で、空間２０内に第２のフィルタ６を介して各種処理液を供給することにより、試料に各種処理液を接触させて各種処理を行うものである。
【００５４】
カラム本体（筒体）２は、その全体形状がほぼ円筒状をなしている。
このカラム本体２は、本体部２１と、その先端部に本体部２１に対して縮径した排出口２２とを有し、これらが一体的に形成されている。
【００５５】
カラム本体２（本体部２１）内には、基端開口２１０を介して、各種処理液が供給され、この処理液により試料に対して各種処理が施される。また、試料を処理した後の処理液は、排出口２２を介して本体部２１（カラム本体２）外に排出される。
【００５６】
カラム本体２の横断面形状は、好ましくは円形であるが、その他、例えば、楕円形、四角形、六角形等のいかなる形状であってもよい。
【００５７】
カラム本体２の構成材料としては、例えば、各種樹脂材料、各種ガラス材料、各種セラミックス材料、各種金属材料等が挙げられるが、実質的に透明または半透明な材料を用いるのが好ましい。これにより、本体部２１内に収納された試料等の観察を容易に行うことができる。
【００５８】
また、試料の処理工程に加熱（加温）工程が含まれる場合には、カラム本体２の構成材料としては、耐熱性に優れる材料を用いるのが好ましい。耐熱性を有する樹脂材料としては、例えば、ポリプロピレン等が挙げられる。
【００５９】
カラム本体２（本体部２１）は、その内部に設けられた第１のフィルタ５の基端面から基端までの長さが、５〜３０ｍｍ程度であるのが好ましく、１０〜２０ｍｍ程度であるのがより好ましい。これにより、例えば光学顕微鏡等を用いて、処理後の試料の観察をカラム本体２の基端側から行う場合には、試料と対物レンズとの距離を比較的近くすることができ、試料の状態をより正確に確認することができる。
【００６０】
本体部２１の外径（カラム本体２の最大外径）は、５〜２０ｍｍ程度であるのが好ましく、８〜１５ｍｍ程度であるのがより好ましい。
【００６１】
本体部２１の内径（カラム本体２の最大内径）は、３〜１８ｍｍ程度であるのが好ましく、６〜１３ｍｍ程度であるのがより好ましい。
【００６２】
また、排出口２２の長さは、３〜１５ｍｍ程度であるのが好ましく、６〜１０ｍｍ程度であるのがより好ましい。
【００６３】
排出口２２の外径は、２．５〜７ｍｍ程度であるのが好ましく、３〜５ｍｍ程度であるのがより好ましい。
【００６４】
排出口２２の内径は、０．５〜５ｍｍ程度であるのが好ましく、１〜３ｍｍ程度であるのがより好ましい。
【００６５】
このカラム本体２内には、排出口２２近傍に第１のフィルタ５が固定（固着）され、第１のフィルタ５より基端側には、第２のフィルタ６がカラム本体２の軸方向（図１中、上下方向）に移動可能に設けられている。
【００６６】
第１のフィルタ５および第２のフィルタ６は、いずれも、多数の比較的細径の連続（貫通）細孔を有する部材で構成されている。
【００６７】
これらの第１のフィルタ５および第２のフィルタ６により、カラム本体２（本体部２１）内には、空間２０が画成される。この空間２０内には、試料が収納され、空間２０内に供給された各種処理液により試料に対して処理が施される。
【００６８】
空間２０の容積は、第２のフィルタ６のカラム本体２の軸方向の位置を設定することにより調整することができる。
【００６９】
第１のフィルタ５は、空間２０内に収納される試料や、後述する浮遊攪拌子８が通過できない程度の孔径の細孔を有するものが好適に用いられる。
【００７０】
第１のフィルタ５の細孔の平均孔径は、試料や浮遊攪拌子８のサイズ等によって適宜設定されるものであり、特に限定されないが、１０〜１５０μｍ程度であるのが好ましく、２０〜１００μｍ程度であるのがより好ましい。
【００７１】
また、第１のフィルタ５の平均厚さは、０．５〜５ｍｍ程度であるのが好ましく、１〜３ｍｍ程度であるのがより好ましい。
【００７２】
一方、第２のフィルタ６は、空間２０内に液体（試料液、処理液や比重調整液）を保持し得るよう構成されている。
【００７３】
具体的には、第２のフィルタ６は、その基端側から液体を供給し、空間２０内が液体で満たされ、かつ、基端側に実質的に液体が存在しない状態となると、細孔内で生じる毛細管現象により液体の通過が停止し、この状態から、再度、基端側に液体を供給すると、供給した液体が細孔を通過して空間２０内（先端側）に流入するよう構成されている。
【００７４】
このような第２のフィルタ６の特性は、例えば、第２のフィルタ６の厚さ、細孔の数、細孔の形状、細孔の孔径等の条件を組み合わせることにより、所望のものに調整することができる。
【００７５】
第２のフィルタ６の細孔の平均孔径は、特に限定されないが、１０〜１５０μｍ程度であるのが好ましく、２０〜１００μｍ程度であるのがより好ましい。第２のフィルタ６の細孔の平均孔径が小さ過ぎると、液体の粘度等によっては、液体の通過速度が遅くなり、試料の処理効率が低下するおそれがあり、一方、平均孔径が大き過ぎると、毛細管現象が十分に生じず、空間２０内に液体を保持するのが困難となるおそれがある。
【００７６】
また、第２のフィルタ６の平均厚さは、０．５〜５ｍｍ程度であるのが好ましく、１〜３ｍｍ程度であるのがより好ましい。
【００７７】
このような第１のフィルタ５および第２のフィルタ６が有する細孔は、直線状のもの他、例えば、傾斜角度が変化する不定形のもの、互いに連通する連続空孔等であってもよい。
【００７８】
すなわち、第１のフィルタ５および第２のフィルタ６は、それぞれ、例えば、厚さ方向に貫通する貫通細孔を複数有する細孔板や、織布、不織布のような繊維性多孔質体、その他の非繊維性多孔質体等で構成することができる。これらの中でも、特に、細孔板で構成するのが好ましい。これにより、第１のフィルタ５および第２のフィルタ６の液体の通過抵抗をより低減することができる。
【００７９】
第１のフィルタ５および第２のフィルタ６の構成材料としては、それぞれ、前記カラム本体２で挙げた材料と同様のものを用いることができるが、フィルタに十分な強度を確保することができる材料であり、かつ、液体（処理液や比重調整液）またはこれらの液体に含まれる物質（例えば、標識試薬等）との反応性に乏しい材料（実質的に反応が生じない材料）が好ましい。
【００８０】
ここで、本明細書中において「反応」とは、電気的な吸着、化学的な結合等を含む概念である。
【００８１】
このような材料としては、例えば、ポリオレフィン（例えば高密度ポリエチレン、ポリプロピレン）、ポリアミド、フッ素系樹脂（例えばテトラフルオロエチレン）、シリコーン系樹脂のような各種樹脂材料、ステンレス鋼、チタンまたはチタン合金のような各種金属材料等が挙げられる。
【００８２】
また、第１のフィルタ５および第２のフィルタ６は、基材の表面に前記材料で構成される表面層が形成（被覆）されたものであってもよい。
【００８３】
このように、第１のフィルタ５および第２のフィルタ６の少なくとも表面付近を、液体（処理液や比重調整液）またはこれらの液体に含まれる物質との反応性に乏しい材料で構成することにより、試料の処理精度が低下するのをより確実に防止することができる。
【００８４】
さらに、第１のフィルタ５および第２のフィルタ６は、親水性を有するものが好ましい。これにより、フィルタ５、６を液体がより円滑に通過するようになる。
【００８５】
親水化の方法としては、例えば、プラズマ処理、紫外線照射、界面活性剤による処理等が挙げられる。
【００８６】
第２のフィルタ６の中央部には、第２のフィルタ６をカラム本体２の軸方向に移動操作する棒状の操作部材７が固定（固着）されている。
【００８７】
この操作部材７は、第２のフィルタ６と一体的に成形されたものであってもよく、図１に示すように、第２のフィルタ６とは別部材を、融着や接着剤による接着等により第２のフィルタ６に固定したものであってもよい。
【００８８】
この操作部材７をカラム本体２の軸方向に移動操作することにより、第２のフィルタ６を第１のフィルタ５に対して接近および離間させることができる。これにより、空間２０の容積を調整することができる。
【００８９】
また、操作部材７を第２のフィルタ６の中央部に固定することにより、第２のフィルタ６をカラム本体２の軸方向に移動操作する際に、第２のフィルタ６が第１のフィルタ５に対して傾斜するのを好適に防止することができる。
【００９０】
また、操作部材７は、カラム本体２のほぼ中央に位置するよう構成されている。これにより、後述するエクステンション（延長筒）３をカラム本体２に装着する際に、操作部材７の基端部が邪魔になるのを防止することができる。
【００９１】
操作部材７の横断面積は、０．５〜１０ｍｍ２程度であるのが好ましく、１〜５ｍｍ２程度であるのがより好ましい。
【００９２】
また、操作部材７の長さは、５〜２０ｍｍ程度であるのが好ましく、１０〜１５ｍｍ程度であるのがより好ましい。
【００９３】
空間２０内には、浮遊攪拌子（攪拌子）８が収納されている。
この浮遊攪拌子８は、空間２０内に収納された液体に浮遊することにより、第２のフィルタ６近傍において、前記液体を攪拌するよう構成されている。
【００９４】
これにより、空間２０内に収納された液体と、第２のフィルタ６の基端側から第２のフィルタ６を通過して空間２０内に流入してきた液体とを、第２のフィルタ６の近傍において攪拌・混合することができ、空間２０内に存在する液体の各部における濃度（比重）をより均一にすることができる。
【００９５】
浮遊攪拌子８の比重は、各種液体（特に、水）に浮遊するものであればよく、特に限定されないが、０．８５〜０．９９程度であるのが好ましく、０．９〜０．９９程度であるのがより好ましく、０．９〜０．９６程度であるのがさらに好ましい。浮遊攪拌子８の比重が小さ過ぎると、浮遊攪拌子８の浮力が大きくなり、第２のフィルタ６との接触摩擦が増大してしまい、攪拌が十分に行えないおそれがある。一方、浮遊攪拌子８の比重が大き過ぎると、浮遊攪拌子８が空間２０内に収納された液体に沈み易くなり、第２のフィルタ６近傍における液体の攪拌・混合が不十分となるおそれがある。また、試料として生体試料を取り扱う場合、生体試料は一般に第１のフィルタ５に接触した状態で存在することが多いが、浮遊攪拌子８が空間２０内に収納された液体（試料液、処理液や比重調整液）に沈むことにより、生体試料に損傷（破損）を与え易くなるおそれがある。
【００９６】
このような浮遊攪拌子８は、その少なくとも表面付近が液体（処理液や比重調整液）またはこれらの液体に含まれる物質（例えば、標識試薬等）との反応性に乏しい材料（実質的に反応が生じない材料）で構成されているのが好ましい。これにより、試料の処理精度が低下するのをより確実に防止することができる。
【００９７】
かかる材料としては、前記第１のフィルタ５および第２のフィルタ６で挙げた材料と同様のものを用いることができるが、比較的比重の小さいものを用いるのが好ましい。
【００９８】
また、浮遊攪拌子８は、疎水性を有するものが好ましい。これにより、浮遊攪拌子８が液体中でより円滑に移動するようになり、液体をより均一に混合することができる。
【００９９】
疎水化の方法としては、例えば、界面活性剤による処理等が挙げられる。
浮遊攪拌子８の形態は、中実体、中空体、多孔質体のいずれであってもよい。
【０１００】
浮遊攪拌子８を中実体で構成する場合には、浮遊攪拌子８の構成材料は、材料自体の比重を考慮して選択すればよく、また、中空体や多孔質体で構成する場合には、中空部や空孔率等を設定することにより、浮遊攪拌子８の比重を調整することができるため、比較的比重の大きい材料を用いることもできる。
【０１０１】
また、浮遊攪拌子８の形状は、特に限定されず、粒状、平板状、棒状等のいかなるものであってもよいが、粒状（特に、球状）であるのが好ましい。これにより、第２のフィルタ６との接触摩擦を弱めることができ、自由な浮遊による攪拌効果が得られる。また、試料として生体試料を取り扱う場合には、浮遊攪拌子８が生体試料に衝突しても、その衝撃を小さくすることができるので、生体試料の破損を好適に防止することができる。
【０１０２】
浮遊攪拌子８を粒状とする場合、その平均粒径は、０．５〜５ｍｍ程度であるのが好ましく、１〜３ｍｍ程度であるのがより好ましい。これにより、液体を攪拌する能力を好適に維持しつつ、試料への衝撃を小さくすることができる。したがって、例えば、試料として生体試料を取り扱う場合においても、生体試料の破損を好適に防止することができる。
【０１０３】
このような浮遊攪拌子８は、液体中に気泡を併存させることにより、より円滑かつランダムに移動させることができるようになる。これにより、液体の攪拌・混合をより確実に行うことができる。
【０１０４】
カラム本体２の先端部（排出口２２）には、ほぼ全体が柔軟性を有するキャップ４が着脱自在に装着されている。
【０１０５】
このキャップ４は、排出口２２に装着した状態で、その先端開口２２１を覆うことができ、排出口２２からの取り外し時に、空間２０内に収納された液体に、内部の空気（気体）を供給（注入）して、前記液体中に前述したような気泡を生じさせる機能を有するものである。
【０１０６】
具体的には、キャップ４をカラム本体２の先端部に、排出口２２の先端開口２２１を覆うように装着する。この状態で、空間２０内に液体を収納し、キャップ４を指等で把持して変形させることにより内部容積を減少させ、キャップ４内の空気を排出口２２を介して空間２０内に送り出す。これにより、空間２０内に収納された液体に空気が供給され、前記液体中に気泡が生じる。
【０１０７】
このようなキャップ４の構成材料としては、例えば、シリコーンゴム、各種熱可塑性エラストマー等が挙げられる。
【０１０８】
なお、キャップ４は、その一部に柔軟性を有する部位を有する構成のものであってもよい。この場合、かかる柔軟性を有する部位を変形させることにより、前記と同様にして、空間２０内に空気を供給することができる。
【０１０９】
また、キャップ４の内部容積は、カラム本体２内の第１のフィルタ５より先端側の容積より小さく設定されているのが好ましい。なお、かかる構成により得られる効果は、後に説明する。
【０１１０】
キャップ４の内部容積の具体的な値は、１０〜１００ｍｍ３程度であるのが好ましく、２０〜５０ｍｍ３程度であるのがより好ましい。
【０１１１】
また、カラム本体２の基端部には、エクステンションカップ（延長筒）３が着脱自在に装着されている。
【０１１２】
エクステンションカップ３は、その全体形状がほぼ円筒状をなしている。
このエクステンションカップ３は、本体部３１と、その先端部に本体部３１に対して、内径および外径が縮径した装着部（縮径部）３２とを有し、これらが一体的に形成されている。
【０１１３】
装着部３２の外径は、カラム本体２の本体部２１の内径とほぼ等しいか若干大きく設定されている。装着部３２が本体部２１の基端部内側に挿入・嵌合することにより、エクステンションカップ３がカラム本体２に装着（固定）される。
【０１１４】
また、本実施形態のエクステンションカップ３は、カラム本体２に装着（連結）した状態で、その基端から操作部材７の基端が突出しない長さを有している。
【０１１５】
したがって、エクステンションカップ３をカラム本体２に装着することにより、操作部材７の基端部は、エクステンションカップ３内に収納されることとなる。このため、例えば、ピペットや分注ポンプ等を用いて、カラム本体２内に液体（処理液や比重調整液）を供給する際に、これらに装着されるチップ（液体を供給する部材）の先端が、操作部材７に当たる（接触）するのが防止され、カラム本体２内への液体（処理液や比重調整液）の供給をより正確に行うことができる。
【０１１６】
また、エクステンションカップ３の内面に沿って、チップの先端をカラム本体２内まで案内するようにして使用することもできる。
【０１１７】
このように、エクステンションカップ３は、カラム本体２内へ液体（処理液や比重調整液）を供給する際に、液体またはこれを供給する部材を、カラム本体２内に案内する機能を有するものである。
【０１１８】
また、エクステンションカップ３をカラム本体２に装着することにより、試料処理具１全体の容量を増大させることができるため、一度に比較的大量の液体（処理液や比重調整液）をカラム本体２内に供給することができるようになる。その結果、試料の処理効率を向上させることができる。
【０１１９】
このようなエクステンションカップ３の長さ（全長）Ｌ２は、カラム本体２の長さ（全長）Ｌ１の１／１０〜３／４程度であるのが好ましく、３／１０〜１／２程度であるのがより好ましい。これにより、前述したような効果がより顕著に発揮されるようになる。
【０１２０】
エクステンションカップ３の本体部３１は、その横断面形状が、カラム本体２の本体部２１と相似形であるのが好ましく、特に、その外径（エクステンションカップ３の最大外径）がカラム本体２の本体部２１の外径（カラム本体の最大外径）とほぼ等しいのが好ましい。未使用時の試料処理具１は、図１に示す状態で、複数重ねて収納容器等に収納されるが、この際、デッドスペースが小さくなり、複数の試料処理具１を効率よく収納することができる。
【０１２１】
また、エクステンションカップ３をカラム本体２に装着した状態で、これらの間には、液密性（特に、気密性）が確保されているのが好ましい。これにより、例えば、エクステンションカップ３とカラム本体２との接続部（連結部）から、液体が漏れ出すのをより確実に防止することができる。
【０１２２】
エクステンションカップ３の構成材料としては、前記カラム本体２で挙げた材料と同様のものを用いることができる。
【０１２３】
なお、エクステンションカップ３の横断面形状も、好ましくは円形であるが、前記カラム本体２と同様に、その他、例えば、楕円形、四角形、六角形等のいかなる形状であってもよい。
【０１２４】
また、エクステンションカップ３に基端面には、その基端開口３１０を塞ぐように、シート材（シート状の封止部材）９が取り外し可能に貼着され（設けられ）ている。
【０１２５】
シート材（封止部材）９の構成材料としては、例えば、ポリエチレンテレフタレート、ポリプロピレン、ポリエチレン、シリコーン系樹脂、シリコーンゴムのような各種樹脂材料、各種金属材料等のうちの１種または２種以上を組み合わせて用いることができる。
【０１２６】
シート材９の平均厚さは、０．０５〜１０ｍｍ程度であるのが好ましく、０．１〜５ｍｍ程度であるのがより好ましい。
【０１２７】
このシート材９は、カラム本体２内に処理液や比重調整液を供給する操作を開始する直前に取り外されるものである。これにより、処理液や比重調整液を供給するまでの間、カラム本体２（試料処理具１）内が密閉され、その内部にゴミ等の異物が入るのを防止することができる。その結果、試料のより正確な処理を行うことができる。
【０１２８】
また、シート材９をエクステンションカップ３に貼着した状態で、これらの間には、気密性が確保されているのが好ましい。
【０１２９】
なお、エクステンションカップ３の基端部に装着される封止部材は、シート状のものに限定されず、基端開口３１０を封止することができればよく、例えば、エクステンションカップ３の基端部外側に嵌合や螺合等により固定されるキャップ状のものや、基端部内側に嵌合や螺合等により固定される栓状のもの等であってもよい。
【０１３０】
次に、このような試料処理具１の使用方法について説明する。
図２〜図９は、それぞれ、図１に示す試料処理具の使用方法を説明するための図（縦断面図）、図１０は、第１のフィルタと第２のフィルタ間との間に画成される空間内に収納された液体の比重の変化を示すグラフである。
【０１３１】
なお、以下の説明では、図２〜図９中の上側を「基端」、下側を「先端」と言う。また、図６〜図９では、それぞれ、図が煩雑になるのを避けるため、一部のものを省略して示した。
【０１３２】
［１］  まず、図２（ａ）に示すように、エクステンションカップ３、および、操作部材７ごと第２のフィルタ６を、カラム本体２から取り外す。
【０１３３】
そして、カラム本体２を、キャップ４が下方（先端側）となり、第１のフィルタ５がほぼ水平となるように設置する。
【０１３４】
次に、図２（ｂ）に示すように、試料１０を含む液体（試料液）１１を、カラム本体２の基端開口２１０からカラム本体２内に供給する。
【０１３５】
この試料液１１としては、試料１０を生理食塩水や緩衝液等に懸濁または溶解させたものや、血液、リンパ液、唾液、尿、髄液、腹水、胸水、羊水等が挙げられる。
【０１３６】
ここで、試料１０としては、例えば、ウィルス、細菌のような微生物、ＤＮＡ、ＲＮＡのような核酸、抗原、抗体、各種疾病の診断に用いるマーカーのようなタンパク質、糖タンパク質、ホルモン類、アミノ酸、ぺプチド、ヌクレオチドのような生化学物質等が挙げられる。
【０１３７】
また、試料１０として、生体組織切片等のブロック状のものを取り扱う場合には、例えば、第１のフィルタ５上に試料１０を載置した後、生理食塩水や緩衝液等をカラム本体２内に供給する。
【０１３８】
［２］  次に、第２のフィルタ６を、カラム本体２の軸方向の所定位置に装着する。
この第２のフィルタ６の装着操作は、例えば、図２（ｃ）に示すようなインジェクションガイド１２とインジェクタ１３とを用いて、以下のようにして行われる。
【０１３９】
インジェクションガイド１２は、平板状の部材で構成され、その中央部には、厚さ方向に貫通する貫通孔１２１が形成されている。一方、インジェクタ１３は、ブロック状の部材で構成されている。
【０１４０】
まず、図３（ｄ）に示すように、操作部材７の基端部を指等で把持して、第２のフィルタ６を基端開口２１０から、カラム本体２内に挿入する。
【０１４１】
次に、図３（ｅ）に示すように、操作部材７をインジェクションガイド１２の貫通孔１２１に挿通し、インジェクションガイド１２をカラム本体２の基端面に載置する。
【０１４２】
このとき、カラム本体２の中心軸とインジェクションガイド１２の貫通孔１２１の中心軸とをほぼ一致させる。これにより、操作部材７の中心軸とカラム本体２の中心軸とがほぼ一致し、第１のフィルタ５と第２のフィルタ６とがほぼ平行に位置するようになる。すなわち、第２のフィルタ６の水平方向の位置決めがなされる。
【０１４３】
次に、インジェクタ１３の先端面を操作部材７の基端に当接させ、この状態でインジェクタ１３を先端方向に向かって移動させる（下降させる）。これにより、操作部材７は、インジェクタ１３に押圧されることにより先端方向に向かって移動し、これに伴って、第２のフィルタ６も先端方向に向かって移動する。
【０１４４】
そして、インジェクタ１３は、その先端面が、図３（ｆ）に示すように、インジェクションガイド１２の基端面に当接すると、それ以上、先端方向への移動が阻止される。これにより、操作部材７および第２のフィルタ６の先端方向への移動が停止し、第２のフィルタ６の鉛直方向（カラム本体２の軸方向）の位置決めがなされる。
【０１４５】
なお、インジェクションガイド１２の厚さを設定することにより、第２のフィルタ６の挿入深さ（第１のフィルタ５との離間距離）を調整することができる。
【０１４６】
次に、図４（ｇ）に示すように、インジェクションガイド１２をカラム本体２から取り除く。
【０１４７】
［３］  次に、図４（ｈ）に示すように、カラム本体２の基端部にエクステンションカップ３を装着する。
【０１４８】
なお、この時点では、エクステンションカップ３の基端面には、基端開口３１０を塞ぐようにシート材９が貼着されている。
【０１４９】
［４］  次に、図４（ｉ）に示すように、キャップ４を指等で把持して押し潰す（変形させる）。これにより、キャップ４内の空気が、第１のフィルタ５を通過して、空間２０内に供給され、試料液１１中には、キャップ４の押し潰し量とほぼ同量の空気の泡（気泡）１１１が生じる。
【０１５０】
また、このとき、この気泡１１１（キャップ４内から供給された空気）の容量分だけ、エクステンションカップ３内の空気が圧縮される。
【０１５１】
［５］  次に、図５（ｊ）に示すように、キャップ４を押し潰した状態で、排出口２２から取り外す。
【０１５２】
エクステンションカップ３内の圧縮された空気により、試料液１１は、先端方向に向かって押圧（加圧）されており、キャップ４を取り外すことにより、第１のフィルタ５の通過を開始する。
【０１５３】
ここで、前述したように、本実施形態では、キャップ４の内部容量がカラム本体２内の第１のフィルタ５より先端側の容量よりも小さく設定されているので、試料液１１が排出口２２内から流出することが防止される。これにより、試料液１１が外部に飛散することを防止することができ、手や周辺環境等を汚染することがない。
【０１５４】
したがって、例えば、試料１０として、微生物や放射性物質で標識されたもの等を取り扱う際には、処理操作をより安全に行うことができる。
【０１５５】
［６］  次に、図５（ｋ）に示すように、エクステンションカップ３の基端に貼着されたシート材９を取り外す（除去する）。
【０１５６】
シート材９を取り外すと、空間２０内に収納された試料液１１が第１のフィルタ５を通過して、排出口２２から排出されるとともに、第２のフィルタ６の基端側の試料液１１が、第２のフィルタ６を通過して空間２０内に流入する。
【０１５７】
そして、前述したように、第２のフィルタ６の基端側に、実質的に試料液１１が存在しない状態となると、排出口２２からの試料液１１の流出が停止する。
【０１５８】
［７］  次に、空間２０内に収納された試料液１１を処理液１４と置換する。
そして、空間２０内において、置換された処理液１４により、試料１０に対して処理を施す。
【０１５９】
ここで、処理液１４としては、特に限定されず、例えば、試料１０と反応する試薬を含有する反応溶液や、洗浄液等が挙げられる。
【０１６０】
また、処理液１４には、試料液１１の比重より比重が小さいもの、大きいもの、ほぼ等しいものが存在するが、処理液１４と試料液１１との比重の関係に応じて、適切な方法で置換を行うのが好ましい。
【０１６１】
［７Ａ］  処理液１４の比重が試料液１１の比重より小さい場合
まず、図６（ａ）に示すように、ピペット等を用いて、エクステンションカップ３内に、基端開口３１０から処理液１４を供給する。
【０１６２】
これにより、試料液１１は、第１のフィルタ５を通過して、排出口２２からカラム本体２外に排出されるとともに、処理液１４は、第２のフィルタ６を通過して空間２０内に流入する。
【０１６３】
このとき、処理液１４の比重が試料液１１の比重より小さいことにより、図６（ｂ）に示すように、空間２０内において、処理液１４は、試料液１１とは混じり合うことなく、試料液１１との境界部に明確な界面１４１を形成しながら、一様に下降する。これにより、図６（ｃ）に示すように、空間２０内を処理液１４でほほ完全に置換することができる。
【０１６４】
なお、この場合、処理液１４と試料液１１との境界部に明確な界面１４１を形成することが、置換効率を向上させる点において重要であるため、浮遊攪拌子８による攪拌操作は省略される。
【０１６５】
［７Ｂ］  処理液１４の比重が試料液１１の比重より大きいまたはほぼ等しい場合
この場合、処理液１４をカラム本体２内に供給するのに先立って、空間２０内に収納される液体の比重が処理液１４の比重より大きくなるように調整する。
【０１６６】
［７Ｂ−１］  まず、試料処理具１の振盪（振動）を開始する。これにより、浮遊攪拌子８がカラム本体２に対して相対的に移動し、試料液１１が攪拌される。
【０１６７】
試料処理具１を振盪させる方向は、上下方向、前後方向、左右方向、回転方向またはこれらの組合せでもよいが、水平方向（前後方向、左右方向、水平面内での回転またはこれらの組合せ）であるのが好ましい。これにより、第２のフィルタ６近傍で試料液１１と空間２０内に流入してくる液体（比重調整液１５）とを効率よく攪拌・混合することができる。
【０１６８】
ここで、試料液１１中に気泡１１１を形成しておくことにより、図７に示すように、浮遊攪拌子８が気泡１１１と衝突する。これにより、浮遊攪拌子８が第２のフィルタ６に接触し、それらの間の摩擦力により移動できなくなるのを防止することができる。
【０１６９】
また、浮遊攪拌子８と気泡１１１とが衝突を繰り返すことにより、浮遊攪拌子８をランダムに移動させることができ、試料液１１と空間２０内に流入してくる液体とをより効率よく攪拌・混合することができる。
【０１７０】
［７Ｂ−２］  次に、図８（ａ）に示すように、ピペット等を用いて、エクステンションカップ３内に、基端開口３１０から試料液１１よりも比重の大きい比重調整液１５を供給する。
【０１７１】
この比重調整液１５としては、試料１０に影響を及ぼさないもの（試料１０と実質的に反応しないもの）が好ましく、例えば、処理液１４を調整するのに用いる溶媒や分散媒中に、比重調整用の物質を添加したもの等を使用することができる。
【０１７２】
比重調整液１５の比重は、試料液１１の比重に対して３倍以下であるのが好ましく、２倍以下であるのがより好ましい。比重調整液１５の比重が小さ過ぎると、試料液１１の比重が効果的に増大しにくくなるおそれがある。一方、比重調整液１５の比重が大き過ぎると、比重調整液１５は急速にカラム本体２の壁面に沿って先端方向へ移動（下降）するため、浮遊攪拌子８によって試料液１１と混合される前に排出口２２からカラム本体２外に排出され、試料液１１の比重が効果的に増大しにくくなるおそれがある。
【０１７３】
比重調整液１５を供給することにより、試料液１１は、第１のフィルタ５を通過して、排出口２２からカラム本体２外に排出されるとともに、比重調整液１５は、第２のフィルタ６を通過して空間２０内に流入する。
【０１７４】
ここで、図８（ｂ）に示すように、空間２０内に流入した比重調整液１５は、試料液１１より比重が大きいため、カラム本体２の壁面に沿って先端方向へ移動（下降）を開始するが、第２のフィルタ６近傍で浮遊攪拌子８が試料液１１を攪拌していることにより、試料液１１と比重調整液１５とが攪拌・混合される。
【０１７５】
そして、試料液１１と比重調整液１５とが混合されることにより得られた混合液１６は、これらのほぼ中間の比重となり、依然として試料液１１よりも比重が大きいため、先端方向へ移動（下降）する。
【０１７６】
その後、図９（ｃ）に示すように、空間２０内を混合液１６でほぼ完全に置換することができる。
【０１７７】
なお、混合液１６がカラム本体２の壁面に沿って先端方向へ移動（下降）する場合がある。このとき、比重が小さい試料液１１は、カラム本体２の中央部で基端方向へ移動（上昇）し、空間２０内に流入してくる比重調整液１５と混合され、混合液１６が得られることとなる。そして、このサイクルは、比重調整液１５の供給を停止するまで継続され、図９（ｃ）に示すように、空間２０内を混合液１６でほぼ完全に置換することができる。
【０１７８】
次に、比重調整液１５と同一の比重調整液１５、または、比重調整液１５より比重の大きい比重調整液１５を用いて、以上の操作を繰り返す。これにより、空間２０内の液体の比重を、処理液１４の比重より大きくなるように調整する。
【０１７９】
ここで、例えば、空間２０内に収納された比重１．０の試料液１１を、比重２．０の処理液１４で置換する場合を一例に説明する。
【０１８０】
この場合、図１０に示すように、まず、比重１．０の試料液１１が収納されたカラム本体２内に、比重２．０の比重調整液１５を、空間２０の容積（試料液１１）とほぼ等しい量供給すると、空間２０内には、比重１．５程度の混合液１６が得られる。
【０１８１】
次に、比重２．０の比重調整液１５を、空間２０の容積とほぼ等しい量供給すると、空間２０内には、比重１．７５程度の混合液１６が得られる。
【０１８２】
次に、比重２．０の比重調整液１５を、空間２０の容積とほぼ等しい量供給すると、空間２０内には、比重１．９程度の混合液１６が得られる。
【０１８３】
次に、比重２．５の比重調整液１５を、空間２０の容積とほぼ等しい量供給すると、空間２０内には、比重２．２程度の混合液１６が得られる。
【０１８４】
次に、試料処理具１の振盪を停止し、カラム本体２内に、処理液１４を供給する。
ここで、空間２０内に収納された混合液１６は、処理液１４より比重が大きくなっているため、前記［７Ａ］と同様に、図６（ｂ）に示すように、処理液１４は、混合液１６との境界部に明確な界面１４１を形成しながら、一様に下降する。これにより、空間２０内を処理液１４でほほ完全に置換することができる。
【０１８５】
以上のように、この試料処理具１では、吸引装置のような機械を使用せず、第２のフィルタ６より基端側に供給される液体の自重により、空間２０内に収納される液体を置換することができる。このため、試料１０として生体試料を取り扱う場合には、その破損等を好適に防止することができる。また、簡易な構成であるので、コストを低く抑えることができる。
【０１８６】
なお、試料処理具１は、多数のものが一体となった構成（多連構成）とすることができる。以下、多連構成の試料処理具１について説明する。
【０１８７】
図１１は、多連構成の試料処理具を示す部分断面斜視図である。なお、以下の説明では、図１１中の上側を「基端」、下側を「先端」と言う。
【０１８８】
以下、図１１に示す試料処理具１について、図１等に示す試料処理具１との相違点を中心に説明し、同様の事項については、その説明を省略する。
【０１８９】
図１１に示す試料処理具１は、複数のカラム本体２および複数のエクステンションカップ３がそれぞれ一体的に形成（並べて連結）されている点以外は、前記試料処理具１と同様である。
【０１９０】
このように試料処理具１を多連構成とすることにより、一度に、複数の試料を処理することができ、便利である。
【０１９１】
また、この場合、カラム本体２の連結数にはある程度制限が生じるが、エクステンションカップ３の装着部３２がカラム本体２の基端部内側に嵌合する構成とすることにより、カラム本体２の最大内径を比較的大きく設定することができる。このため、カラム本体２の長さを必要以上に長くすることなく、カラム本体２の内部容積の増大を図ることができる。
【０１９２】
また、エクステンションカップ３の装着部３２がカラム本体２の基端部内側に嵌合する構成とすることにより、液体をカラム本体２内に確実に供給することもできる。
【０１９３】
なお、図１１には、カラム本体２およびエクステンションカップ３の双方が多連構成である場合について示したが、カラム本体２およびエクステンションカップ３のいずれか一方のみが多連構成とされたものであってもよい。
【０１９４】
ここで、エクステンションカップ（延長筒）３のカラム本体（筒体）２への装着方法の他の形態について説明する。
【０１９５】
図１２は、延長筒の筒体への装着方法の他の形態を説明するための図（縦断面斜視図）である。なお、以下の説明では、図１２中の上側を「基端」、下側を「先端」と言う。
【０１９６】
図１２（ａ）に示す構成では、エクステンションカップ３の装着部３２は、本体部３１の内径が拡径した拡径部で構成され、カラム本体２の基端部外側（外周）に嵌合し得るよう構成されている。
【０１９７】
この場合、エクステンションカップ３の本体部３１の内径と、カラム本体２の本体部２１の内径とがほぼ等しくなるため、第２のフィルタ６をエクステンションカップ３内に位置させて使用することができるようになる。すなわち、空間２０の容積をより大きく設定することができる。これにより、より大量の試料またはサイズの大きい試料の処理が可能となる。
【０１９８】
また、図１２（ｂ）に示す構成では、エクステンションカップ３の装着部３２は、本体部３１の外径が縮径した縮径部で構成され、一方、カラム本体２の基端部には、本体部２１の内径が拡径した拡径部が形成され、この拡径部にエクステンションカップ３の装着部３２が嵌合し得るよう構成されている。
【０１９９】
この場合、エクステンションカップ３を、図１および図１１に示す構成と、図１２（ａ）に示す構成との双方の利点を有するものとすることができる。
【０２００】
以上の実施形態では、エクステンションカップ３を１つ（１段）のみ有する構成について示したが、本発明では、複数（多段）のエクステンションカップ３を有し、これらを組み合わせて（接続して）用いる構成のものとすることもできる。
【０２０１】
この場合、１つのエクステンションカップ３の長さが、カラム本体２の長さに対して前述したような関係を満足すればよい。
【０２０２】
また、この場合、試料処理具１は、エクステンションカップ３を多段でカラム本体２に装着した状態で、その基端から操作部材７の基端が突出しないようにして使用される。
【０２０３】
また、この場合、エクステンションカップ３には、長さの異なるものを用意しておくのが好ましい。これにより、エクステンションカップ３の個数および／または種類を適宜選択して使用することにより、目的や用途等に応じて、試料処理具１の全長を所望のものに調整することができる。
【０２０４】
以上、本発明の処理具について説明したが、本発明は、これらに限定されるものではなく、各部の構成は、同様の機能を発揮し得る任意のものと置換することができ、あるいは、任意の構成のものを付加することもできる。
【０２０５】
例えば、攪拌子としては、前述のような液体中に浮遊するものの他、上部から吊り下げられることにより、第２のフィルタ６近傍に支持された吊り下げ型の攪拌子を使用するようにしてもよい。また、攪拌子は、必要に応じて省略することもできる。
【０２０６】
また、操作部材は、直線状のものに限定されず、例えば、先端側で分岐してＹ字状をなすもの等であってもよく、また、設置数も１本に限定されず、複数本であってもよい。さらに、操作部材は、棒状のものに限定されず、例えば筒状のもの等であってもよい。
【０２０７】
また、前記実施形態では、キャップは、第１のフィルタと第２のフィルタとの間に形成される空間内に空気（気体）を供給（注入）する機能を有する他、他の機能を有するものであってもよい。
【０２０８】
また、前記実施形態では、気体注入手段（気体供給手段）の一例としてキャップを代表に説明したが、気体注入手段としては、その他、例えば、排出口に着脱自在に装着されるチューブと、チューブの排出口に接続されるのと反対の端部側に接続された気体（ガス）供給源とを有する構成とすることもできる。
【０２０９】
また、前記実施形態では、本発明の処理具を、各種処理液を用いて試料を処理するのに用いられる試料処理具に適用した場合を代表に説明したが、本発明の処理具は、例えば、密度勾配（グラジエント）を有するアガロースゲルやショ糖を調整するための装置等に適用することもできる。
【図面の簡単な説明】
【０２１０】
【図１】本発明の処理具を試料処理具に適用した場合の実施形態を示す縦断面図である。
【図２】図１に示す試料処理具の使用方法を説明するための図（縦断面図）である。
【図３】図１に示す試料処理具の使用方法を説明するための図（縦断面図）である。
【図４】図１に示す試料処理具の使用方法を説明するための図（縦断面図）である。
【図５】図１に示す試料処理具の使用方法を説明するための図（縦断面図）である。
【図６】図１に示す試料処理具の使用方法を説明するための図（縦断面図）である。
【図７】図１に示す試料処理具の使用方法を説明するための図（縦断面図）である。
【図８】図１に示す試料処理具の使用方法を説明するための図（縦断面図）である。
【図９】図１に示す試料処理具の使用方法を説明するための図（縦断面図）である。
【図１０】第１のフィルタと第２のフィルタ間との間に画成される空間内に収納された液体の比重の変化を示すグラフである。
【図１１】多連構成の試料処理具を示す部分断面斜視図である。
【図１２】延長筒の筒体への装着方法の他の形態を説明するための図（縦断面斜視図）である。
【図１３】従来の処理具（反応容器）の構成を示す縦断面図である。
【符号の説明】
【０２１１】
１            試料処理具
２            カラム本体
２０          空間
２１          本体部
２１０        基端開口
２２          排出口
２２１        先端開口
３            エクステンションカップ
３１          本体部
３１０        基端開口
３２          装着部
４            キャップ
５            第１のフィルタ
６            第２のフィルタ
７            操作部材
８            浮遊攪拌子
９            シート材
１０          試料
１１          試料液
１１１        気泡
１２          インジェクションガイド
１２１        貫通孔
１３          インジェクタ
１４          処理液
１４１        界面
１５          比重調整液
１６          混合液
９０１        反応容器
９０２        中空管
９０３        細孔板
９０４        中空管
９０５        細孔板
【図１】
2005304479.tif 000003
【図２】
2005304479.tif 000004
【図３】
2005304479.tif 000005
【図４】
2005304479.tif 000006
【図５】
2005304479.tif 000007
【図６】
2005304479.tif 000008
【図７】
2005304479.tif 000009
【図８】
2005304479.tif 000010
【図９】
2005304479.tif 000011
【図１０】
2005304479.tif 000012
【図１１】
2005304479.tif 000013
【図１２】
2005304479.tif 000014
【図１３】
2005304479.tif 000015